(57)【要約】【課題】養生テープを用いずに着脱容易に床面に敷設して、床面との滑りを防止するとともに、砂、埃、塗料等による床面の損傷や汚染を防止して床面を保護することができる養生部材を提供する。【解決手段】養生部材１は、硬質プラスチック材料からなる矩形状のパネル１０と、パネル１０と略同形状の滑り止めシート１１と、を積層して一体的に形成されている。滑り止めシート１１は、パネル１０の自重により床面と密着し、床面との滑りを防止する滑り止め効果を発現するように構成され、パネル１０の隣接する２辺から突出するＬ字状の突出部１１ａが形成されている。パネル１０の下面１０ｂには、残りの２辺側において突出部１１ａに対応した位置、形状で滑り止めシート１１が設けられていないＬ字状の着脱部１０ｇが形成されている。突出部１１ａ及び着脱部１０ｇには、着脱可能に構成された１組の着脱部材１３、１３が設けられている。【選択図】図１
2013224546.tif 000002
【特許請求の範囲】
【請求項１】
床面に敷設して床面を保護するための養生部材であって、
硬質プラスチック材料からなる矩形状のパネルと、
前記パネルの自重により床面と密着して滑り止め効果を発現する滑り止めシートと、を積層して一体的に構成されており、
前記滑り止めシートは、前記パネルの隣接する２辺から突出する突出部を備え、
前記パネルの残りの２辺側には、前記突出部に対応した形状で、床面側に前記滑り止めシートが設けられていない着脱部が形成されており、
前記突出部及び着脱部には着脱可能に構成された１組の着脱部材が設けられていることを特徴とする養生部材。
【請求項２】
前記突出部に設けられた着脱部材は、前記突出部を覆って前記滑り止めシートに接着されたシート状のインサート部材を介して前記突出部に設けられていることを特徴とする請求項１に記載の養生部材。
【請求項３】
前記インサート部材は、前記パネルと前記滑り止めシートとの間まで延設されていることを特徴とする請求項２に記載の養生部材。
【請求項４】
前記パネルと前記滑り止めシートとの間に、隣接して配置される養生部材の高さを調整するための高さ調整部材が設けられていることを特徴とする請求項１ないし請求項３のいずれか１つに記載の養生部材。
【請求項５】
床面に敷設して床面を保護するための養生部材であって、
硬質プラスチック材料からなる矩形状のパネルと、
前記パネルの自重により床面と密着して滑り止め効果を発現する滑り止めシートと、を積層して一体的に構成されており、
前記滑り止めシートは、前記パネルの１辺から突出する突出部を備え、
前記パネルの対向する１辺側には、前記突出部に対応した形状で、床面側に前記滑り止めシートが設けられていない着脱部が形成されており、
前記突出部及び着脱部には着脱可能に構成された１組の着脱部材が設けられていることを特徴とする養生部材。
【請求項６】
床面に敷設して床面を保護するための１組の養生部材であって、
硬質プラスチック材料からなる矩形状のパネルと、
前記パネルの自重により床面と密着して滑り止め効果を発現する滑り止めシートと、を積層して一体的に構成されており、
一方の養生部材の滑り止めシートは、前記パネルの各辺から突出する突出部を備え、
他方の養生部材は、前記パネルの各辺に、前記突出部に対応した形状で、床面側に前記滑り止めシートが設けられていない着脱部が形成されており、
前記突出部及び着脱部には着脱可能に構成された１組の着脱部材が設けられていることを特徴とする養生部材。
【発明の詳細な説明】
【技術分野】
【０００１】
本発明は、家屋等の建築時、引越や荷物の搬入時などに床面に敷設し、床面を保護する養生部材に関する。
【背景技術】
【０００２】
従来より、家屋等の建築時、引越や荷物の搬入時などに床面が損傷、汚染されないように保護するために、シート状の養生部材を床面に敷設する養生が行われている。
床面の養生方法として、複数の養生シートを養生テープ（粘着テープ）で連結し、床面に養生テープで固定するという方法が採用されてきた。ここで、使用される養生部材としては、例えば、ロール状に形成された紙製の養生シート（特許文献１）、合成樹脂シートからなる養生シート（特許文献２）、段ボールなどの紙素材からなる養生シート（特許文献３）などが提案されている。
【先行技術文献】
【特許文献】
【０００３】
【特許文献１】特開２００６−２１３９０２号公報
【特許文献２】特開平１０−１２１７４０号公報
【特許文献３】特許第３０６１６１５号公報
【発明の概要】
【発明が解決しようとする課題】
【０００４】
しかし、このような養生シートは、床面との密着性が乏しく滑りやすいため、養生シートが滑らないように養生テープにより床面に固定する必要があった。また、連結した養生シート間に隙間が生じると、砂、埃、塗料等が侵入して床面を損傷、汚染するおそれがあった。そのため、養生シート間を床面に固定し、養生シート間に隙間が生じないように連結するために、大量の養生テープを用いる必要があり、固定作業にも時間、手間がかかるという問題があった。また、床面からの取り外しや養生シート間の着脱が容易でないため、作業中に養生シートを取り外したい場合に効率的な作業を行うことができないという問題があった。
【０００５】
そこで、本発明は、養生テープを用いずに着脱容易に床面に敷設して、床面との滑りを防止するとともに、砂、埃、塗料等による床面の損傷や汚染を防止して床面を保護することができる養生部材を提供することを目的とする。
【課題を解決するための手段】
【０００６】
本発明では、上記目的を実現するために、請求項１に記載の発明では、床面に敷設して床面を保護するための養生部材であって、硬質プラスチック材料からなる矩形状のパネルと、前記パネルの自重により床面と密着して滑り止め効果を発現する滑り止めシートと、を積層して一体的に構成されており、前記滑り止めシートは、前記パネルの隣接する２辺から突出する突出部を備え、前記パネルの残りの２辺側には、前記突出部に対応した形状で、床面側に前記滑り止めシートが設けられていない着脱部が形成されており、前記突出部及び着脱部には着脱可能に構成された１組の着脱部材が設けられている、という技術的手段を用いる。
【０００７】
請求項１に記載の発明によれば、養生部材は滑り止めシートを備えているので、床面に敷設するだけで滑り止め効果が発現し、養生テープを用いずに床面との滑りを防止することができる。
隣接する養生部材は、突出部と着脱部とが対向するように配置し、着脱部材により養生テープを用いずに固定することができる。いずれの方向においても突出部と着脱部とが重なりあわされて固定されているため、養生部材間で床面が露出することがないので、砂、埃、塗料等による床面の損傷や汚染を防止して簡単に床面を保護することができる。
また、養生部材同士は着脱自在なので、作業に応じて簡単に取り外すことができるとともに、繰り返し使用することができる。
【０００８】
請求項２に記載の発明では、請求項１に記載の養生部材において、前記突出部に設けられた着脱部材は、前記突出部を覆って前記滑り止めシートに接着されたシート状のインサート部材を介して前記突出部に設けられている、という技術的手段を用いる。
【０００９】
請求項２に記載の発明によれば、インサート部材により滑り止めシートの突出部を補強することができるとともに、着脱部材の交換を容易にすることができる。
【００１０】
請求項３に記載の発明では、請求項２に記載の養生部材において、前記インサート部材は、前記パネルと前記滑り止めシートとの間まで延設されている、という技術的手段を用いる。
【００１１】
滑り止めシートの突出部は、パネルとの境界近傍で過大な力が生じやすくこの位置で破損するおそれがあるが、請求項３に記載の構成を採用することにより、パネルとの境界部にインサート部材が存在するため、より効果的に補強することができる。
【００１２】
請求項４に記載の発明では、請求項１ないし請求項３のいずれか１つに記載の養生部材において、前記パネルと前記滑り止めシートとの間に、隣接して配置される養生部材の高さを調整するための高さ調整部材が設けられている、という技術的手段を用いる。
【００１３】
着脱部材が厚い場合に、隣接する養生部材に段差が生じる場合があるが、請求項４に記載の発明のように、パネルと滑り止めシートとの間に高さ調整部材を設けることによりこのような段差をなくすことができる。
【００１４】
請求項５に記載の発明では、床面に敷設して床面を保護するための養生部材であって、硬質プラスチック材料からなる矩形状のパネルと、前記パネルの自重により床面と密着して滑り止め効果を発現する滑り止めシートと、を積層して一体的に構成されており、前記滑り止めシートは、前記パネルの１辺から突出する突出部を備え、前記パネルの対向する１辺側には、前記突出部に対応した形状で、床面側に前記滑り止めシートが設けられていない着脱部が形成されており、前記突出部及び着脱部には着脱可能に構成された１組の着脱部材が設けられている、という技術的手段を用いる。
【００１５】
請求項６に記載の発明では、床面に敷設して床面を保護するための１組の養生部材であって、硬質プラスチック材料からなる矩形状のパネルと、前記パネルの自重により床面と密着して滑り止め効果を発現する滑り止めシートと、を積層して一体的に構成されており、一方の養生部材の滑り止めシートは、前記パネルの各辺から突出する突出部を備え、他方の養生部材は、前記パネルの各辺に、前記突出部に対応した形状で、床面側に前記滑り止めシートが設けられていない着脱部が形成されており、前記突出部及び着脱部には着脱可能に構成された１組の着脱部材が設けられている、という技術的手段を用いる。
【００１６】
突出部及び着脱部の構成として、請求項５または請求項６に記載の発明の構成を採用することもできる。
【図面の簡単な説明】
【００１７】
【図１】養生部材の構造を示す説明図である。図１（Ａ）は養生部材を床面に敷設した場合に上方から見た平面説明図であり、図１（Ｂ）は図１（Ａ）のＡ−Ａ矢視断面説明図である。
【図２】養生部材を用いた床面の養生方法を示す平面説明図である。
【図３】図２のＢ−Ｂ矢視断面説明図である。
【図４】高さ調整部材を備えた養生部材の構造を示す断面説明図である。図４（Ａ）は平面説明図であり、図４（Ｂ）は図４（Ａ）のＣ−Ｃ矢視断面説明図である。
【図５】養生部材の変更例を示す平面説明図である。
【発明を実施するための形態】
【００１８】
本発明の養生部材について図を参照して説明する。なお、断面説明図において、構造をわかりやすくするために、各部材の厚さ等は誇張して図示してある。
【００１９】
図１に示すように、養生部材１は、矩形状のパネル１０と、パネル１０と略同形状の滑り止めシート１１と、を積層して一体的に形成されている。以下、パネル１０において、養生部材１を床面に敷設する場合に上方となる面を上面１０ａ、滑り止めシート１１が設けられている面を下面１０ｂとする。養生部材１は、後述する養生方法により複数の養生部材１が一体的に固定されて床面を養生する。
【００２０】
パネル１０は、硬質プラスチック材料からなり、例えば、幅６００ｍｍ、長さ９００ｍｍ、厚さ２ｍｍの矩形状の板材として構成される。パネル１０は、滑り止めシート１１に滑り止め効果を発現させるための適切な自重を有していれば、材質は適宜選択することができるが、堅牢性などの観点からポリプロピレンを好適に用いることができる。
【００２１】
滑り止めシート１１は、パネル１０の自重により床面と密着し、床面との滑りを防止する滑り止め効果を発現するように構成されている。ここで、「滑り止め効果」とは、床面と同程度の平滑面に養生部材１を載置し、その平滑面を大きく傾斜させた場合（例えば、４５°）でも、養生部材１が滑り落ちない程度のグリップ性を示す。
滑り止めシート１１は、ウレタンやポリエチレンなどからなる樹脂フォーム、スポンジ状材料、綿状材料、などからなるシートを用いることができる。特に、床面との密着性、クッション性、強度などの観点から、エチレン・酢酸ビニル共重合樹脂（EVA）からなるシート（例えば、厚さ２ｍｍ）を好適に用いることができる。
【００２２】
パネル１０と滑り止めシート１１とは互いにずれた状態で積層され一体的に形成されており、滑り止めシート１１には、パネル１０の隣接する２辺（辺１０ｃ、辺１０ｄ）から突出するＬ字状の突出部１１ａが形成されている。本実施形態では、パネル１０と滑り止めシート１１とは平面視で略同一形状であり、辺１０ｃ側の突出部１１ａの幅Ｗ１と辺１０ｄ側の突出部１１ａの幅Ｗ２とが略同一となるように形成されている。突出部１１ａの幅は、隣接して配置される養生部材１を十分な強度で結合することができるとともに、養生部材１の間から、砂、埃、塗料等が侵入することによる床面の損傷や汚染を効果的に防止することができるように適宜設定可能である。
【００２３】
パネル１０の下面１０ｂには、残りの２辺（辺１０ｃと対向する辺１０ｅ、辺１０ｄと対向する辺１０ｆ）側において、養生部材１を隣接して配置したときに突出部１１ａに対向し、対応する位置、形状で滑り止めシート１１が設けられていないＬ字状の着脱部１０ｇが形成されている。着脱部１０ｇの幅は、対応する突出部１１ａの幅と略同一か、対応する突出部１１ａの幅より広く形成されている。本実施形態では、突出部１１ａの幅Ｗ１と着脱部１０ｇの辺１０ｅ側の幅Ｗ３、突出部１１ａの幅Ｗ２と着脱部１０ｇの辺１０ｆ側の幅Ｗ４、はそれぞれ略同一となるように形成されている。
【００２４】
突出部１１ａの上面には、少なくとも手で容易にちぎることができない程度の強度を有しシート状に形成された、例えば、ビニールテープからなるインサート部材１２が滑り止めシート１１に接着されて設けられている。インサート部材１２はＬ字状に形成しても良いし、２枚の帯状のインサート部材１２を突出部１１ａの形状に応じて組み合わせて設けることもできる。インサート部材１２により、滑り止めシート１１の突出部１１ａを補強することができる。本実施形態では、インサート部材１２の幅方向の端部がパネル１０と滑り止めシート１１との間まで延設されている。突出部１１ａには、特にパネル１０との境界近傍で過大な力が生じやすくこの位置で破損するおそれがあるが、パネル１０との境界部にインサート部材１２が存在するため、より効果的に補強することができる。
ここで、インサート部材１２を延設する領域は適宜設定可能で、例えば、滑り止めシート１１全面としてもよい。また、インサート部材１２として接着性があるシートを用い、パネル１０と滑り止めシート１１との間の接着に供することもできる。
【００２５】
突出部１１ａの上面及び着脱部１０ｇには、着脱可能に構成された１組の着脱部材１３、１３が設けられている。着脱部材１３、１３は、養生部材１を隣接して配置したときに対向する位置にそれぞれ設けられている。突出部１１ａの上面の着脱部材１３は、インサート部材１２を介して接着固定されている。これにより、着脱部材１３の交換を容易にすることができる。着脱部材１３、１３はそれぞれＬ字状に形成しても良いし、２枚の帯状の着脱部材１３を突出部１１ａ、着脱部１０ｇの形状に応じて組み合わせて設けることもできる。また、養生部材１を固定する力を十分に発現できるなら、突出部１１ａの上面及び着脱部１０ｇの全面ではなく、一部に設けることもできる。
【００２６】
着脱部材１３、１３は、接着することなく容易に着脱可能なシート状に形成された部材を採用することができる。例えば、面ファスナー、マグネットシート、表面に微細な凹状穴が多量に形成され吸着機能を有するミクロ吸盤シート、などを用いることができる。
着脱部材１３、１３として面ファスナーを用いると、固定する力が強いとともに、着脱の繰り返しに対する耐久性も有しているため、好適である。
着脱部材１３、１３は、突出部１１ａの上面と着脱部１０ｇとで着脱可能となる組み合わせで配置する。例えば、面ファスナーなら突出部１１ａ側がフック面、着脱部１０ｇ側がループ面となるように配置する。
【００２７】
ここで、着脱部材１３としてミクロ吸盤を用いる場合、一方をミクロ吸盤が吸着可能な平滑面を有する部材、例えばビニールテープなどとし、他方をミクロ吸盤として１組の着脱部材１３、１３を構成する。着脱部１０ｇが十分に平滑でミクロ吸盤が吸着可能であれば着脱部１０ｇ側に着脱部材１３を設けなくてもよい。この場合、着脱部１０ｇが着脱部材１３として機能する。
ミクロ吸盤は押圧するまで固定されないため、隣接する養生部材１を正確に位置決めした後に固定することができるので、位置決め精度を向上させることができる。
【００２８】
次に、養生部材１により床面を養生する方法について説明する。
【００２９】
図２に示すように、床面Ｙの全面を養生するには、パネル１０を上面とし、滑り止めシート１１が床面Ｙに載置されるように、養生部材１を床面Ｙの角部から壁に沿って並設し、隣接する養生部材１を固定し、床面Ｙ全面に養生部材１を敷設する。
【００３０】
隣接する養生部材１の固定は以下のように行う。養生部材１Ａに養生部材１Ｂを固定するには、図３に示すように、養生部材１Ａの辺１０ｃと養生部材１Ｂの辺１０ｅとを突き合わせて、養生部材１Ａの突出部１１ａに養生部材１Ｂの着脱部１０ｇを重ね合わせ、載置する。これにより、着脱部材１３、１３が相対することになり、養生部材１Ａに養生部材１Ｂを固定することができる。このように、隣接する養生部材１の突出部１１ａと着脱部１０ｇとを重ねるだけで、１組の着脱部材１３、１３により、養生テープを用いずに両者を簡単かつ確実に固定することができる。
同様に、養生部材１Ａに養生部材１Ｃを固定することができ、これを床面Ｙ全面に拡張することにより養生できる。
【００３１】
床面に敷設された養生部材１は、パネル１０の自重により滑り止めシート１１が床面Ｙに密着して、滑り止めシート１１と床面Ｙとの間の摩擦抵抗が増大し、滑り止め効果を発現する。これにより、養生テープを用いずに養生部材１が床面Ｙから滑らないように養生することができる。養生テープを床面Ｙに貼ることがないので、養生テープををはがす際に床面Ｙを損傷したり、養生テープや粘着成分が残存したりするおそれがない。
【００３２】
床面Ｙに養生テープで固定するためのスペースを設ける必要がないので、床面Ｙに日焼けなどが生じるおそれがない。養生部材１は、従来のような養生テープによる固定と異なり着脱自在なので、例えば、壁に巾木を取り付ける作業などを行うときには簡単に取り外して作業を行うことができる。また、従来の養生シートと異なり、繰り返し使用することができる。
【００３３】
また、養生部材１は、いずれの方向においても突出部１１ａと着脱部１０ｇとが重なりあわされて固定されているため、養生部材１間で床面Ｙが露出することがないので、砂、埃、塗料等による床面の損傷や汚染を防止することができる。
【００３４】
パネル１０は硬質プラスチック材料からなるため、養生部材１に荷物や資材が落下した場合でも床面Ｙが損傷することを防ぐことができる。また、滑り止めシート１１がクッションとなり、衝撃を吸収することができる。
【００３５】
床面Ｙの形状によっては、各種寸法、形状、例えば短冊状、の養生部材１を組み合わせて用いることができる。
【００３６】
（変更例）
滑り止めシート１１は、十分な滑り止め効果を発現し、適切な突出部１１ａと着脱部１０ｇとを形成させることができれば、パネル１０と平面視で略同一形状である必要はない。また、滑り止めシート１１が十分に強度を有している場合には、インサート部材１２を用いない構成を採用することもできる。
【００３７】
着脱部材１３が厚く形成されている、などにより、隣接する養生部材１に段差が生じるような場合には、図４に示すように、パネル１０と滑り止めシート１１との間に高さ調整部材１４を設けることができる。高さ調整部材１４として、パネル１０と滑り止めシート１１とが重なる領域と同じ矩形形状のシート状の部材を用い、パネル１０及び滑り止めシート１１に接着して一体的に設けることができる。高さ調整部材１４は、着脱部材１３、１３が固定された状態の厚さに形成されており、これにより、着脱部材１３の厚さなどに起因する養生部材１の段差をなくすことができる。ここでは、インサート部材１２は、滑り止めシート１１と高さ調整部材１４との間まで延設されている。高さ調整部材１４は、材質は任意であるが、例えば、滑り止めシート１１と同じ材料からなるシートを用いることができる。また、隣接する養生部材１に段差が生じないようにすることができれば、高さ調整部材１４の形状は任意である。
【００３８】
本実施形態の養生部材１では、隣接する２辺に突出部１１ａ、残りの２辺側に着脱部１０ｇを設けたが、例えば、図５（Ａ）に示す養生部材２のように、パネル１０の対向する１組の辺の一方に突出部１１ａを、他の辺側に着脱部１０ｇを設けることもできる。
また、図５（Ｂ）に示す１組の養生部材３、３のように、一方の養生部材３には、すべての辺から突出する突出部１１ａを設け、この突出部１１ａに対応する形状の着脱部１０ｇを他方の養生部材３に設ける構成を採用することもできる。ここで、突出部１１ａは、養生部材１を床面に敷設した場合に重なり合う部分がないように、各辺の長さより幅Ｗ１だけ短く形成されている。
【００３９】
［実施形態の効果］
本発明の養生部材１は、滑り止めシート１１を備えているので、床面Ｙに敷設するだけで滑り止め効果が発現し、養生テープを用いずに床面Ｙとの滑りを防止することができる。
隣接する養生部材１は、突出部１１ａと着脱部１０ｇとが対向するように配置し、着脱部材１３、１３により養生テープを用いずに固定することができる。いずれの方向においても突出部１１ａと着脱部１０ｇとが重なりあわされて固定されているため、養生部材１間で床面Ｙが露出することがないので、砂、埃、塗料等による床面Ｙの損傷や汚染を防止して簡単に床面Ｙを保護することができる。
また、養生部材１同士は着脱自在なので、作業に応じて簡単に取り外すことができるとともに、繰り返し使用することができる。
【符号の説明】
【００４０】
１…養生部材
１０…パネル
１０ｇ…着脱部
１１…滑り止めシート
１１ａ…突出部
１２…インサート部材
１３…着脱部材
１４…高さ調整部材
【図１】
2013224546.tif 000003
【図２】
2013224546.tif 000004
【図３】
2013224546.tif 000005
【図４】
2013224546.tif 000006
【図５】
2013224546.tif 000007